(57)【特許請求の範囲】
【請求項１】
紙幣挿入口から挿入された紙幣を搬送する紙幣搬送ベルトを具えた装置本体と、該装置本体に着脱自在に装着され、前記紙幣搬送ベルトにより搬送された前記紙幣を内部に収容するスタッカーであって、前記紙幣搬送ベルトに対向して配設され、前記紙幣搬送ベルトとの間に前記紙幣を挟持して搬送する補助ローラを回動自在に支承するスタッカーとからなる紙幣処理装置において、
前記スタッカーは、先端が上方に向け形成され、該先端に前記補助ローラを支承するＬ字形状のレバーと、該Ｌ字形状のレバーを前記紙幣搬送ベルト側へ常時付勢する付勢手段とを具え、
前記スタッカーを前記装置本体に装着した際には、前記紙幣を前記付勢手段の付勢力により前記紙幣搬送ベルトと前記補助ローラとの間に挟持させ搬送させるとともに、前記スタッカーが前記装置本体から離脱する際には、前記Ｌ字形状のレバーにより、前記スタッカーに収容された前記紙幣が前記スタッカーから落下することを防止するようにしたことを特徴とする紙幣処理装置。
【発明の詳細な説明】
【０００１】
【発明の属する技術分野】
この発明は、自動販売機、両替機、パチンコ玉貸機、メタル貸機等に使用される紙幣処理装置に関する。
【０００２】
【従来の技術】
一般に紙幣（クーポン券等を含む）を取り扱う自動販売機等の機器本体内には、挿入された紙幣の真偽を判別するとともに、真券と見なされた紙幣のみを蓄積収容するようにした紙幣処理装置が装着されている。
【０００３】
図８は従来の紙幣処理装置を示す要部破断概念側面図である。
この従来の紙幣処理装置２１は、装置本体２２と、該装置本体２２の背面２２ａに着脱自在に装着されたスタッカー５２から構成されている。
【０００４】
このうち、装置本体２２には、紙幣挿入口２３から挿入された紙幣１０１をＬ字形状の紙幣搬送路２４に沿って搬送する紙幣搬送ベルト２６からなる紙幣搬送手段２５と、紙幣１０１の真偽を判別する磁気ヘッド等からなる紙幣識別手段４２と、該紙幣識別手段４２により真券と判断された紙幣１０１を１枚ずつスタッカー５２側へ移動させる紙幣移動手段３５とが配設されている。
【０００５】
このうち、紙幣搬送手段２５は、紙幣搬送路２４の水平部２４ａおよび垂直部２４ｂに沿って張設された無端の紙幣搬送ベルト２６と、該紙幣搬送ベルト２６を回転駆動するプーリ２７、２８、２９、３０からなる紙幣搬送ベルト駆動手段３１とから構成されている。
【０００６】
また、紙幣移動手段３５は、本願出願人が先に提案した特願平５−２７６５９２号の明細書に開示されているように、装置本体２２の両サイド長手方向に配設され、その上下端を軸として一方向に回転自在に支承された一対の紙幣案内ドラム３６から構成されている。また、この紙幣案内ドラム３６は、図８の要部概念断面図で示す図９のように、その周面に、紙幣１０１の幅方向端部を嵌挿するスリット３６ａが紙幣搬送路２４の垂直部２４ｂに沿って形成されている。なお、図９の符号３２、３３は、それぞれ、紙幣搬送路２４を形成している上シュート、上シュートである。
なお、この紙幣移動手段３５の詳細については、特願平５−２７６５９２号の明細書を参照されたい。
【０００７】
一方、図８で示すスタッカー５２は、正面に向け開口部５３ａが形成された筐体５３からなり、筐体５３の下端５３ｂで、紙幣搬送ベルト２６と対向するスタッカー５２の部分には、図９で示すように、紙幣搬送ベルト２６との間に紙幣を挟持して該紙幣を搬送する補強ローラ５５が、直接かつ回動自在に支承されている。
【０００８】
この従来の紙幣処理装置２１では、図８で示す紙幣挿入口２３内に紙幣１０１が挿入され、図示せぬ紙幣検出センサによって紙幣１０１の有無が検出されると、その検出信号に基づき紙幣搬送ベルト２６が反時計方向に回転し、紙幣１０１はその搬送力により紙幣搬送路４の水平部４ａに沿って水平搬送される。なお、その際、シャッター手段４１が駆動し、それによりシャッターは図面左方向へ移動し紙幣搬送路２４の垂直部２４ｂが拡開される。
【０００９】
また、この紙幣１０１が紙幣搬送路２４の垂直部２４ｂに沿って略９０度上方へ搬送されると、紙幣識別手段４２より紙幣１０１の真偽が判定され、紙幣１０１が偽券と判断されると、紙幣搬送ベルト２６が反転（時計方向へ回転）して、当該紙幣１０１は紙幣挿入口２３から返却される。
【００１０】
一方、紙幣１０１が紙幣識別手段４２により真券と判断された場合は、その検出信号に基づき紙幣搬送ベルト２６の正転が持続し、紙幣１０１はさらに垂直部２４ｂの下流へ搬送される。
そして、紙幣１０１が図９で示す補強ローラ５５に達すると、紙幣１０１は、正転する紙幣搬送ベルト２６と補助ローラ５５との間に挟持され、さらに下流のスリット３６ａ内へ確実に搬送される。
【００１１】
次に、この紙幣１０１の先端が紙幣案内ドラム３６のスリット３６ａ下端に嵌挿すると、紙幣１０１は同時に紙幣案内ドラム３６のスリット３６ａの端部と紙幣搬送ベルト２６との間に挟持され、これにより紙幣１０１はさらにスリット２６ａに沿って上方に搬送され、その後、紙幣１０１がスリット２３内の所定位置に達したことが図示せぬセンサ等により検出されると、紙幣搬送ベルト２６の正転が停止するとともに紙幣案内ドラム３６が反対方向に同位相で回転し、これにより、スリット３６ａ内に嵌挿された紙幣１０１はスタッカー５２側に平行移動する。
【００１２】
そして、このスタッカー側に平行移動する紙幣１０１が、スタッカー５２に達すると、紙幣１０１は、図示せぬスタックバネを介し図示せぬスタッカープレートと紙幣案内ドラム３６の外周面との間に挟持され、その際同時に、紙幣案内ドラム３６の回転に応じてスタッカー５２側に移動する図示せぬシュートによって押されるので、紙幣１０１はスリット３６ａから解放され、これによりスタッカー５２内に確実に押し込められ収容される。
【００１３】
また、このような従来の紙幣処理装置２１では、スタッカー５２は装置本体２２に着脱自在であるから、装置本体２の保守点検やスタッカー５２内の収容紙幣を回収する際には、スタッカー５２を装置本体２２から離脱し、その作業を行うようにしている。
【００１４】
【発明が解決しようとする課題】
しかし、この従来の紙幣処理装置２１では、紙幣１０１を内部に収容するスタッカー５２には、装置本体２２に向け開口部５３ａが形成されているから、装置本体２２の保守点検やスタッカー５２内の収容紙幣を回収する際、スタッカー５２を装置本体２２から離脱すると、スタッカー５２内の収容紙幣１０１が、スタッカー５２から下方に落下しやすいという問題があった。
この発明は上述した事情に鑑み、紙幣を安定して搬送でき、かつ、紙幣回収等の際にスタッカー内の収容紙幣の落下を可及的に阻止する紙幣処理装置を提供することを目的とする。
【００１５】
【課題を解決するための手段】
上述した課題を解決するため、この発明に係わる紙幣処理装置では、紙幣挿入口から挿入された紙幣を搬送する紙幣搬送ベルトを具えた装置本体と、該装置本体に着脱自在に装着され、前記紙幣搬送ベルトにより搬送された前記紙幣を内部に収容するスタッカーであって、前記紙幣搬送ベルトに対向して配設され、前記紙幣搬送ベルトとの間に前記紙幣を挟持して搬送する補助ローラを回動自在に支承するスタッカーとからなる紙幣処理装置において、前記スタッカーは、先端が上方に向け形成され、該先端に前記補助ローラを支承するＬ字形状のレバーと、該Ｌ字形状のレバーを前記紙幣搬送ベルト側へ常時付勢する付勢手段とを具え、前記スタッカーを前記装置本体に装着した際には、前記紙幣を前記付勢手段の付勢力により前記紙幣搬送ベルトと前記補助ローラとの間に挟持させ搬送させるとともに、前記スタッカーが前記装置本体から離脱する際には、前記Ｌ字形状のレバーにより、前記スタッカーに収容された前記紙幣が前記スタッカーから落下することを防止するようにしている。
【００１６】
【発明の実施の形態】
以下、この発明に係わる紙幣処理装置の一実施例を詳述する。
この発明に係わる紙幣処理装置１は、図８で示す従来の装置本体２２と、該装置本体２２の背面２２ａに着脱自在に装着される図１で示すスタッカー２とから構成されている。
【００１７】
このうち、図１で示すスタッカー２は、正面に向け開口部３ａが形成された筐体３と、筐体３の開口部３ａ側下端３ｂに配設されたＬ字形状のレバー４と、該Ｌ字形状のレバー４の先端４ａに軸７を介し回動自在に支承される補助ローラ５と、Ｌ字形状のレバー４を正面側へ常時付勢する付勢手段６（図３）とから構成されている。
なお、図１は、装置本体２２から離脱したスタッカー２の様子を示す要部概念破断面図である。
【００１８】
また、このうちの筐体３には、側方に、紙幣落下防止用の爪１０が配設されており、また、下端３ｂには、開口部３ａに向け突出する紙幣逆戻り防止レバー１１が配設されている。また、この紙幣逆戻り防止レバー１１は、第１のレバー１１ａと、第２のレバー１１ｂからなる２段折れ曲がりレバーで、図２で示すように、下端３ｂの略中央に配設されている。
なお、図２は、装置本体２２に装着した際のスタッカー２の様子を示す概念正面図で、図１と同一部分を同一符号で示している。
一方、図１で示すＬ字形状のレバー４は、上方に向け形成されている先端４ａと、筐体３に支承される後端４ｂとからなり、このＬ字形状のレバー４は、図２で示すように、筐体３の下端３ｂで、紙幣逆戻り防止レバー１１を挟んだ幅方向両側に配設されている。
【００１９】
また、各Ｌ字形状のレバー４は、紙幣処理装置１の要部概念断面図で示す図３のように、後端４ｂ側が筐体３内の支承溝３ｃ内に嵌挿するとともに、その後端４ｂ側に形成された案内溝８によって筐体３の支承部３ｄに係合しており、これにより、各Ｌ字形状のレバー４は、筐体３に対し所定距離内でスライド自在に支承されている。
【００２０】
また、各Ｌ字形状のレバー４をスタッカー２の正面側へ付勢する付勢手段６は、筐体３内の支承溝３ｃ内に配設されたバネであって、各Ｌ字形状のレバー４の後端４ｂに連結する先端６ａと、スタッカー２の筐体３に連結される後端６ｂから構成されている。
なお、図３では、図１、８と同一部分を同一符号で示している。
【００２１】
次に、上述した紙幣処理装置１の動作を説明するとともに、紙幣処理装置１の構成についてさらに詳細に説明する。
この紙幣処理装置１では、図１で示すスタッカー２には、その上方に突出部９が形成されている。このスタッカー２の突出部９を、装置本体２２の背面２２ａで、長手方向上方に形成された図示せぬ装着用溝に嵌合させると、図８で示す従来の紙幣処理装置２１と同様に、スタッカー２を装置本体５２に装着することができる。
【００２２】
また、このようにスタッカー２が装置本体５２に装着されると、スタッカー２では、図２で示すように、紙幣落下防止用の爪１０が開口部３ａから退避し、また、紙幣逆戻り防止レバー１１が、紙幣処理装置１の要部概念断面図で示す図４のように、一対の紙幣案内ドラム３６間に配置される。
【００２３】
また、各Ｌ字形状のレバー４は、図３で示すように、付勢手段６による付勢力に抗して支承溝３ｃ内を案内溝８に沿って紙幣搬送ベルト２６と反対側（矢印Ａの方向）にスライドし、また、各Ｌ字形状のレバー４の先端４ａに回動自在に支承されている各補助ローラ５は、図４で示すように、紙幣搬送ベルト２６と対向して配置されるとともに、付勢手段６による付勢力によって紙幣搬送ベルト２６に圧接する。
【００２４】
したがって、このとき、装置本体２２に配設された紙幣識別手段４２により真券と判断された紙幣１０１が、紙幣搬送ベルト２６の正転によって紙幣搬送路２４の垂直部２４ｂに搬送されると、紙幣１０１は、図３および図４で示すように、付勢手段６による付勢力によって紙幣搬送ベルト２６と補助ローラ５との間に挟持されるから、紙幣１０１を確実に下流のスリット３６ａ内へ搬送することができる。
【００２５】
なお、スリット３６ａ内に搬送された紙幣１０１は、前述したように、その後、紙幣搬送ベルト２６と紙幣搬送ドラム２６の端部とにより把持され、スタッカー２の開口部３ａに向け平行移動するが、このとき、紙幣逆戻り防止用レバー１１は紙幣１０１の下端に押圧され図示せぬ付勢手段に抗して図示せぬ孔内に退避するので、紙幣１０１の収容動作は円滑に行なわれ、また、紙幣１０１がスタッカー２の筐体３内に収容されると、紙幣逆戻り防止用レバー１１は、前記付勢手段の付勢力により図１で示す初期状態に復帰し、図４で示すように収容された紙幣１０１の下端略中央を覆って拘束するため、紙幣の幅方向略中央が紙幣搬送路２４ｂから突出し、次に収容される紙幣１０１の搬送を妨害する虞は可及的に防止される。
【００２６】
一方、このスタッカー２を装置本体２２から離脱するには、図１で示すスタッカー２の突出部９と装置本体２２の前記装着用溝との嵌合を解除すればよい。
【００２７】
このようにしてスタッカー２を装置本体２２から離脱すると、離脱したスタッカー２の様子を示す概念平面図で示す図５のように、同時に、紙幣落下防止用の爪１０が開口部３ａに向け突出するとともに、Ｌ字形状のレバー４は、図３と同一部分で示す図６のように、付勢手段６による付勢力によって、支承溝３ｃ内を案内溝８に沿って紙幣搬送ベルト２６側（矢印Ｂの方向）にスライドし、初期状態に復帰する。
なお、図６は、紙幣処理装置１の要部概念断面図で、符号４ｃは、筐体３の支承部３ｄと当接してＬ字形状のレバー４の紙幣搬送ベルト２６側へのスライドを規制するストッパーを示している。
【００２８】
また、このように初期状態に復帰するＬ字形状のレバー４は、その先端４ａが上方に向け形成されているから、スタッカー２内に収容された紙幣１０１は、その下端を、下方および正面からＬ字形状のレバー４によって覆われ拘束され、そのため、この紙幣処理装置１では、スタッカー２を装置本体２２から離脱する際、スタッカー２内の収容紙幣１０１がスタッカー２の下方から落下することを可及的に防止することができる。
【００２９】
したがって、装置本体２２の保守点検作業やスタッカー２内の紙幣の回収作業を行う際、装置本体２２からスタッカー２を離脱する場合に、スタッカー２内に収容された紙幣１０１がスタッカー２の下方に落下することを可及的に防止でき、また、これにより、装置本体２２の保守点検作業やスタッカー２内の収容紙幣１０１の回収作業を、簡単かつ安全に行うことができる。
また、この紙幣処理装置１では、Ｌ字形状のレバー４をスタッカー２の幅方向両側に配設しているから、図４と同一部分を同一符号で示す図７のように、紙幣１０１は、これら２本のＬ字形状のレバー４によって、その下端の幅方向両側を覆われ拘束されるとととなり、そのため、紙幣１０１がスタッカー２の下方から落下することを更に一層防止することができる。
【００３０】
また、この紙幣処理装置１では、Ｌ字形状のレバー４の先端４ａには、補助ローラ５が回動自在に支承されているから、スタッカー２内に収容された紙幣１０１は、その下端が、Ｌ字形状のレバー４によって下方および正面から覆われるとともに、補助ローラ５によっても正面から覆われ拘束されるので、この補助ローラ５によって、紙幣１０１がスタッカー２の下方に落下することを更に一層防止することができる。
【００３１】
また、この紙幣処理装置１では、スタッカー２が装置本体２２から離脱された際、図５で示すように、紙幣落下防止用の爪１０が開口部３ａに向け突出するから、紙幣１０１は、その側方を紙幣落下防止用の爪１０で覆われ拘束され、これにより、装置本体５２からスタッカー２２を離脱する際、スタッカー２内の紙幣１０１がスタッカー２の側方から落下することを防止することができる。
【００３２】
また、この紙幣処理装置１では、スタッカー２の幅方向略中央には紙幣逆戻り防止レバー１１が配設されており、該紙幣逆戻り防止レバー１１は、スタッカー２が装置本体２２から離脱される際、紙幣の収容動作を終了して上述のように初期状態に復帰しているから、紙幣１０１は、図７で示すように、下方の幅方向両側をＬ字形状のレバー４によって覆われ拘束されるとともに、下方の略中央を紙幣逆戻り防止レバー１１によって覆われ拘束されることとなる。そのため、スタッカー２内に収容された紙幣１０１が、スタッカー２の下方に落下することを更に一層防止することができる。
【００３３】
したがって、この紙幣処理装置１では、装置本体２２からスタッカーを離脱して、装置本体２２の保守点検作業やスタッカー２内の収容紙幣１０１の回収作業を行なう際、スタッカー２内に収容された紙幣１０１が、スタッカー２の下方に落下することを更に可及的に防止でき、これにより、装置本体２２の保守点検作業やスタッカー２内の収容紙幣１０１の回収作業を、一層、簡単かつ安全に行うことができる。
【００３４】
なお、この実施例の紙幣処理装置１では、２本のＬ字形状のレバー４を具えることとし、これにより、上述のようにスタッカー２内の紙幣１０１の落下を一層防止することとしたが、この発明の紙幣処理装置では、Ｌ字形状のレバー４の本数はこれに限定せず、例えば、紙幣搬送ベルト２６に応じて、Ｌ字形状のレバー４を１本配設するものであってもよく、その場合であっても、Ｌ字形状のレバー４の先端４ａが、紙幣１０１の下方を覆って拘束し、収容紙幣１０１がスタッカー２の下方に落下することを可及的に防止できることは言うまでもない。
【００３５】
また、この実施例の紙幣処理装置１では、スタッカー２に紙幣逆戻り防止レバー１１を配設することとし、装置本体２２からスタッカー２を離脱する際、上述のように紙幣逆戻り防止レバー１１によってもスタッカー２内の紙幣が落下することを防止して、収容紙幣落下防止の効果を一層高めることとしたが、この発明の紙幣処理装置は、スタッカー２にＬ字形状のレバー４を具えていれば、紙幣逆戻り防止レバー１１を配設していないものであってもよく、そのような紙幣処理装置であっても、Ｌ字形状のレバー４の先端４ａが、紙幣１０１の下方を覆って拘束し、収容紙幣１０１がスタッカー２の下方に落下することを可及的に防止することができることは言うまでもない。
【００３６】
また、この実施例の紙幣処理装置１では、紙幣落下防止用の爪１０を配設することとし、装置本体２２からスタッカー２を離脱する際、紙幣落下防止用の爪１０によってもスタッカー２内の紙幣が落下することを防止して、収容紙幣落下防止の効果を一層高めることとしたが、この発明の紙幣処理装置は、スタッカー２にＬ字形状のレバー４を具えていれば、紙幣落下防止用の爪１０を配設しないものであってもよく、このような紙幣処理装置であっても、スタッカー２内の収容紙幣の落下を防止することができることは言うまでもない。
【００３７】
【発明の効果】
以上説明したように、この発明の紙幣処理装置では、紙幣挿入口から挿入された紙幣を搬送する紙幣搬送ベルトを具えた装置本体と、該装置本体に着脱自在に装着され、紙幣搬送ベルトにより搬送された紙幣を内部に収容するスタッカーであって、紙幣搬送ベルトに対向して配設され、紙幣搬送ベルトとの間に紙幣を挟持して搬送する補助ローラを回動自在に支承するスタッカーとからなる紙幣処理装置において、スタッカーは、先端が上方に向け形成され、該先端に補助ローラを支承するＬ字形状のレバーと、該Ｌ字形状のレバーを前記紙幣搬送ベルト側へ常時付勢する付勢手段とを具えることとしたから、スタッカーを装置本体に装着した際には、紙幣を付勢手段の付勢力により紙幣搬送ベルトと補助ローラとの間に挟持させ搬送させるとともに、スタッカーが装置本体から離脱する際には、Ｌ字形状のレバーにより、スタッカーに収容された紙幣がスタッカーから落下することを可及的に防止することができる。
【００３８】
したがって、紙幣を安定して搬送でき、かつ、紙幣回収等の際にスタッカー内の収容紙幣の落下を可及的に阻止する紙幣処理装置を提供することができる。
【図面の簡単な説明】
【図１】図１はこの発明に係わる紙幣処理装置を構成するスタッカーの要部破断概念側面図。
【図２】図２はこの発明に係わる紙幣処理装置を構成するスタッカーが装置本体に装着された様子を示す概念正面図。
【図３】図３はこの発明に係わる紙幣処理装置を構成するスタッカーを装置本体に装着した際の動作を示す要部概念断面図。
【図４】図４はこの発明に係わる紙幣処理装置を構成するスタッカーを装置本体に装着した際の動作を示す要部概念断面図。
【図５】図５はこの発明に係わる紙幣処理装置を構成するスタッカーを装置本体から離脱した際の様子を示す概念正面図。
【図６】図６はこの発明に係わる紙幣処理装置を構成するスタッカーを装置本体から離脱した際の動作を示す要部概念断面図。
【図７】図７はこの発明に係わる紙幣処理装置を構成するスタッカーを装置本体から離脱した際の動作を示す要部概念断面図。
【図８】図８は従来の紙幣処理装置を示す要部破断概念側面図。
【図９】図９は従来の紙幣処理装置の動作を示す要部概念断面図。
【符号の説明】
１…紙幣処理装置
２…スタッカー
４…Ｌ字形状のレバー
４ａ…先端
５…補助ローラ
６…付勢手段
２２…装置本体
２３…紙幣挿入口
２６…紙幣搬送ベルト
１０１…紙幣
【図１】
0004176914.tif 000002
【図２】
0004176914.tif 000003
【図３】
0004176914.tif 000004
【図４】
0004176914.tif 000005
【図５】
0004176914.tif 000006
【図６】
0004176914.tif 000007
【図７】
0004176914.tif 000008
【図８】
0004176914.tif 000009
【図９】
0004176914.tif 000010